(57)【特許請求の範囲】
【請求項１】
尿を吸収して保持するナプキン本体と、このナプキン本体の内面で着用者のペニスを包持し得るように当該ナプキン本体の形状を矯正し保持する保形部材とを具備してなり、
前記ナプキン本体が、防水性を有したアウターシートと、このアウターシートの内側に配された尿吸収体と、この尿吸収体の内側を覆う透水性を有したインナーシートとを備えたものであり、このインナーシートにより前記ナプキン本体の内面を構成しているものであり、
前記ナプキン本体が、使用状態において上向き姿勢をなす前記ペニスを包持する上側領域と、この上側領域の下端に連続させて設けられ使用状態において前記着用者の股下に沿って後方に延びる下側領域とを備えているものであり、前記上側領域が、使用状態において上向き姿勢をなす前記ペニスの前向面に接する中央領域部分と、この中央領域部分の両側に位置し使用状態において前記ペニスの左右両側面に接する両側領域部分と、使用状態において前記ペニスの先端よりも上に位置する上端領域部分とに分類されるものであり、
前記保形部材が、前記ナプキン本体の各部の厚みを調整するために前記アウターシートと前記インナーシートとの間に介在させたものであり、前記両側領域部分に配される左右に対をなす両側保形部分と、これら両側保形部分の上端に連続させて設けられ前記上端領域部分に配される上端保形部分とを備えたものであり、正面視逆Ｕ字形状をなしていることを特徴とするメンズナプキン。
【請求項２】
メンズショーツの内面に着脱可能に止着するための止着面を備えている請求項１記載のメンズナプキン。
【請求項３】
メンズショーツの前身頃内面に請求項１又は２記載のメンズナプキンを着脱可能に添接させたことを特徴とするメンズサニタリーショーツ。
【請求項４】
前記メンズショーツの前身頃が、メンズナプキンの形状に添う伸縮性のある材料により作られたものである請求項３記載のメンズサニタリーショーツ。
【発明の詳細な説明】
【技術分野】
【０００１】
本発明は、メンズナプキン、及び、このメンズナプキンを用いたメンズサニタリーショーツに関するものである。
【背景技術】
【０００２】
従来、失禁に対応するためのアイテムとして、幼児や障害者等を対象として開発されたおむつタイプのものが種々市場に提供されている（例えば、特許文献１参照）。しかし、健康な成人でも、加齢とともに膀胱の弾力性を失うことになり思わぬ時に軽度の失禁に見舞われることが少なくない。
【０００３】
このような軽失禁に対処するためのナプキンとして、防水性を有したアウターシートと、このアウターシートの内側に配された尿吸収体と、この尿吸収体の内側を覆う透水性を有したインナーシートとを備えたものが知られているが、従来のこの種ナプキンは、生理用ナプキンに準じ略一定の厚さを有した短冊状のものが一般的であり、女性用として製品化されている。
【０００４】
ところで、前述した軽度の失禁は、男性をも悩ませるゆゆしき問題である。しかしながら、男性は放尿の方向が定まらないペニスを所有しているが故に、女性用の製品をそのまま使用することはままならない。かといって、おむつタイプのものを用いて尿漏れに万全を期するほどプライドの低い男性は少なく、スポーツジムやゴルフ場でも着用の事実が他人に悟られないようなものが欲しいと人知れず悩み続けているのが現状である。
【先行技術文献】
【特許文献】
【０００５】
【特許文献１】特開２０１２−７５４５９号公報
【発明の概要】
【発明が解決しようとする課題】
【０００６】
本発明は、前述したような課題に着目してなされたもので、男性のプライドを傷つけることなく失禁にうまく対処することができるメンズナプキン及びメンズサニタリーショーツを提供するものである。
【課題を解決するための手段】
【０００７】
本発明は、前述した課題を解決するために、次のような手段を講じたものである。すなわち、本発明に係るメンズナプキンは、尿を吸収して保持するナプキン本体と、このナプキン本体の内面で着用者のペニスを包持し得るように当該パッド本体の形状を矯正し保持する保形部材とを具備してなるものである。
【０００８】
ここで「ペニスを包持する」とは、ペニスの全部または一部を包み持つことを意味し、ペニスを上向き姿勢で収容する場合には、ナプキン本体の内面における中間部分が、そのペニスの前向面と左右両側面に添接するとともに、前記内面の上端部分が前記ペニスの先端上方に位置するようにしておけばよい。
【０００９】
前記ナプキン本体は、防水性を有したアウターシートと、このアウターシートの内側に配された尿吸収体と、この尿吸収体の内側を覆う透水性を有したインナーシートとを備えたものであり、このインナーシートにより前記パッド本体の内面を構成している。
【００１０】
前記保形部材は、ナプキン本体の各部の厚みを調整するために前記アウターシートと前記インナーシートとの間に介在させている。
【００１１】
メンズショーツの内面に装着して使用する場合には、このメンズナプキンの前面に、前記メンズナプキンの内面に着脱可能に装着するための止着面を設けておくのがよい。止着面の一例としては、剥離シートを剥離させることによって外部に表出する両面テープの粘着面などが挙げられる。
【００１２】
以上説明したメンズナプキンは、通常のメンズショーツ又はこれに準じた構成をなすショーツの前身頃内面に添接させることによってメンズサニタリーショーツを構成することができる。この場合、メンズショーツの前身頃を、メンズナプキンの形状に添う伸縮性のある材料により作っておくのが好ましい。
【００１３】
なお、このようなメンズナプキン自体は、メンズショーツに限らず、例えば、スポーツ用サポータや褌（ふんどし）等の内面に添接させて使用することも可能である。
【発明の効果】
【００１４】
本発明によれば、周囲の人に使用の事実を悟られる可能性が低いため安心して着用することが可能であり、主として成人男性の軽失禁に好適に対処することができるメンズナプキン及びメンズサニタリーショーツを提供することができるものである。
【図面の簡単な説明】
【００１５】
【図１】本発明の一実施形態を示す斜視図。
【図２】同実施形態のメンズナプキンを示す正面図。
【図３】同実施形態における変形後のメンズナプキンを背面側から一部切欠して示す斜視図。
【図４】同実施形態の使用状態を示す部分側断面図。
【図５】図４におけるＡ−Ａ線断面図。
【発明を実施するための形態】
【００１６】
以下、本発明の一実施形態を図１〜図５を参照して説明する。
【００１７】
この実施形態におけるメンズサニタリーショーツ１は、図１に示すようにメンズショーツ２における前身頃３の内面３ａにメンズナプキン４を取替可能に装着したものである。
【００１８】
前記メンズショーツ２は、前身頃３が前記メンズナプキン４の形状に添う伸縮性のある材料により作られたものであり、それ以外の部分は通常のメンズショーツと同様な構成をなしている。
【００１９】
前記メンズナプキン４は、図２〜図５に示すように、尿を吸収して保持するナプキン本体５と、このナプキン本体５の内面５ａで着用者ＭのペニスＰを包持し得るように当該ナプキン本体５の形状を矯正し保持する保形部材６とを具備してなる。なお、図２は、製品段階における平面的なメンズナプキン４を示す正面図であり、図４はメンズショーツ２に装着するために湾曲変形させたメンズナプキン４を背面側から一部切欠して示す斜視図である。また、図４は、メンズナプキン４をメンズショーツ２に装着してなるメンズサニタリーショーツ１の使用状態を示す部分的な側断面図であり、図５は、図４におけるＡ−Ａ線断面図である。
【００２０】
前記ナプキン本体５は、防水性を有したアウターシート８と、このアウターシート８の内側に配された尿吸収体９と、この尿吸収体９の内側を覆う透水性を有したインナーシート１１とを備えたものであり、このインナーシート１１により前記ナプキン本体５の内面５ａを構成している。詳述すれば、前記アウターシート８は、例えば、透湿性を有するポリエチレン系の防水性シート素材等により作られている。前記尿吸収体９は、尿を吸収し保持するためのもので、例えば、生理用ナプキン等に使われている高分子吸収シート素材や、吸水紙、或いは紙パルプ等により作られている。この実施形態の尿吸収体９は、一定厚さを有する厚肉シート体状のもので、前記アウターシート８における縁部以外の略全域に添接させてある。前記インナーシート１１は、着用者ＭのペニスＰから漏えいした尿の透過を許容する材料、例えば、ポリオレフィン系の不織布等により作られている。このインナーシート１１は、前記アウターシート８と協働して前記尿吸収体９を挟持するもので、その縁部１１ａは前記アウターシート８の縁部８ａに縫製その他の手段により止着されている。
【００２１】
このようにしてなるナプキン本体５は、使用状態において上向き姿勢をなすペニスＰを包持する上側領域５ｂと、この上側領域５ｂの下端に連続させて設けられ使用状態において着用者Ｍの股下に沿って後方に延びる下側領域５ｃとを備えている。この実施形態においては、前記上部領域５ｂから前記下部領域５ｃにかけて漸次幅狭となるように設定されている。
【００２２】
前記保形部材６は、前記ナプキン本体５の各部の厚みを調整するために前記アウターシート８と前記インナーシート１１との間に介在させたもので、この実施形態においては、前記ナプキン本体５における上側領域５ｂに配されている。詳述すれば、ナプキン本体５の上側領域５ａは、使用状態において起立姿勢をなす前記ペニスＰの前向面Ｐａに接する中央領域部分５ｂ１と、この中央領域部分５ｂ１の両側に位置し使用状態において前記ペニスＰの左右両側面Ｐｂに接する両側領域部分５ｂ２と、使用状態において前記ペニスＰの先端Ｐｃよりも上に位置する上端領域部分５ｂ３とに概ね分類されるが、前記保形部材６は、前記両側領域部分５ｂ２から中央領域部分５ｂ１にかけて配される両側保形部分６ａと、これら両側保形部分６ａの上端に連続させて設けられ前記上端領域部分５ｂ３から中央領域部分５ｂ２にかけて配される上端保形部分６ｂとを備えたものである。具体的には、この保形部材６は、内部に多数の連続気泡を有するポリオレフィン系の発泡材や、前述した尿吸収体９と同一の素材等を用いて作られたものであり、左右に対をなす前記両側保形部分６ａと前記上端保形部分６ｂとを一体に連続させた正面視逆Ｕ字形状をなしている。保形部材６の左右に対をなす前記両側保形部分６ａは、それぞれ左右方向中間６ａ２が厚く左右両側縁６ａ３に向って漸次薄くなる形状をなしている。また、これら両側保形部分６ａの下端側６ａ４、すなわち、保形部材６の下端側は、下方に向って漸次薄くなるように形成されている。保形部材の上端保形部分６ｂは、上下方向中間６ｂ１が厚く上縁６ｂ２および下縁６ｂ３に向って漸次薄くなる形状をなしている。
【００２３】
つまり前記保形部材６は、縁が薄い偏平な板状のもので正面視逆Ｕ字状をなしており、図３に示すように使用状態においてナプキン本体５の内面５ａにおける中央部分に上向き姿勢をなすペニスＰを収容し得る凹陥部５ｄが形成されるように、当該ナプキン本体５における前記アウターシート８と前記尿吸収体９との間に介在させたものである。
【００２４】
以上のようにしてなるメンズナプキン４は、前記メンズショーツ２の内面に着脱可能に止着するための止着面を備えている。すなわち、このメンズナプキン４の前面４ａの所要箇所には、内側に内粘着面７ａを有するとともに外側に外粘着面７ｂを有した両面テープ７が、その内粘着面７ａを前記アウターシート８の前面８ｂに密着させることにより貼着されている。製品段階におけるこの両面テープ７の外粘着面７ｂは、剥離シート７ｃにより保護されており、この剥離シート７ｃを剥離させて前記止着面である外粘着面７ｂを露
出させることにより、当該メンズナプキン４を前記メンズショーツ２における前身頃３の内面３ａに着脱可能に装着することができるようになっている。
【００２５】
このような構成のものであれば、男性着用者Ｍが前記メンズサニタリーショーツ１を着用した場合、その着用者ＭのペニスＰが上向き姿勢で前記メンズナプキン４のナプキン本体５に形成された凹陥部５ｄに収まることになり、前記ペニスＰが前記メンズナプキン４により包持されることになる。そのため、ペニスＰの先端Ｐｃから放出された尿は、直ちに、その近傍に位置するメンズナプキン４のインナーシート１１を通過して尿吸収体９に吸収されることになり、軽失禁であれば略確実に尿漏れを防止することができる。しかも、メンズショーツ２における前身頃３の内面３ａに装着されたメンズナプキン４によりペニスＰを包持するようにしておけば、メンズナプキン４とペニスＰとの相対位置が大きく変動することがない。そのため、メンズナプキン４を比較的嵩の低いものにすることができ、外部から装着の事実を悟られる可能性も低くなる。特に、この実施形態のように、保形部材６の配置や形状設定によりナプキン本体５の左右方向中央を薄くするとともにその両側に厚みを持たせるようにしておけば、メンズショーツ２の前身頃３付近が大きく外方に膨らむこともなく、通常のメンズショーツを着用している場合と外観上ほとんど区別がつかないものとなる。
【００２６】
なお、以上説明した実施形態では、メンズナプキンを、メンズショーツの内面に装着して使用する場合について説明したが、前記メンズナプキンは、スポーツ用サポータや褌の内面に装着して使用することもできる。
【００２７】
また、メンズナプキン自体の構成も、以上説明したものに限定されるものではない。
【００２８】
すなわち、ナプキン本体を構成するアウターシート、尿吸収シート、及びインナーシートの材質は、前記実施形態のものに限られず、本発明の趣旨を逸脱しない範囲で種々変形が可能である。
【００２９】
また、ナプキン本体の形状も図示例に限定されるものではなく、装着対象の形状や構造に合わせて適宜設計すればよい。
【００３１】
また、前記実施形態においては、メンズナプキンが、平面的な姿勢で販売され着用者が適宜湾曲変形させて使用するものある場合について説明したが、本発明にかかるメンズナプキンは、販売段階において既に使用に適した立体的な形状をなすものであってもよい。これを実現するための方策としては、前記保形部材と尿吸収体とを立体形状をなすように一体に成形した構成や、アウターシートに添設されるシェル状の保形部材を予め立体形状をなすものに成形しておく等の構成を採用することが考えられる。
【００３２】
その他、本発明の趣旨を損ねない範囲で種々に変形してよい。
【符号の説明】
【００３３】
１…サニタリーショーツ
２…メンズナプキン
３…前身頃
３ａ…前身頃の内面
４…メンズナプキン
５…ナプキン本体
６…保形部材
７…両面テープ
７ｂ…粘着面（止着面）
７ｃ…剥離シート
８…アウターシート
９…尿吸収体
１１…インナーシート
Ｍ…着用者
Ｐ…ペニス
【図１】
0005953390.tif 000002
【図２】
0005953390.tif 000003
【図３】
0005953390.tif 000004
【図４】
0005953390.tif 000005
【図５】
0005953390.tif 000006